(57)【要約】    【課題】  腰の弱い物品が収容される場合や、幅狭の物品が少ししか収容されていない場合であっても、物品が倒れてしまうことを防止し、ひいては内部の物品の落下の虞もない収容容器を提供する。    【解決手段】  底板部８と、該底板部８から立設される一対の長側壁部１６，１８と、前記底板部８から立設される一対の短側壁部２２，２４とにより、容器本体２０ａの上方面に物品の出入口が形成された収容容器２０であって、    前記容器本体２０ａの底板部８には、内部の物品収容部を分割する仕切り部材７４の脚部５２を着脱自在に係止する案内溝７２が形成されていることを特徴としている。    【選択図】  図１
2005138869.tif 000002
【特許請求の範囲】
【請求項１】
底板部と、該底板部から立設される一対の長側壁部と、前記底板部から立設される一対の短側壁部とにより、容器本体の上方面に物品の出入口が形成された収容容器であって、
前記容器本体の底板部には、内部の物品収容部を分割する仕切り部材の脚部を着脱自在に係止する案内溝が形成されていることを特徴とする収容容器。
【請求項２】
前記案内溝は、該底板部の外周域を構成するとともに中央に開口が形成された第１底板部分と、この第1底板部分の開口全体を覆うように、この第1底板部分よりも一段低い位置に配置されるとともに、前記第１底板部分にリブ状の連結体により一体化された第２底板部分との間の連結部に沿って、水平方向に構成されていることを特徴とする請求項１に記載の収容容器。
【請求項３】
前記リブ状の連結体は、所定間隔置きに形成されていることを特徴とする請求項２に記載の収容容器。
【請求項４】
前記第１底板部分の下面と前記第２底板部分の上面との間の離間距離は、前記仕切り部材の厚さに相当する長さであることを特徴とする請求項２または３に記載の収容容器。
【発明の詳細な説明】
【技術分野】
【０００１】
本発明は、複数個の小物品を並べて収容するのに好適な収容容器に関するものである。
【背景技術】
【０００２】
例えば、大型図書館などでは、多量の本を効率的に管理する必要があることから、これらの本を分類してコンテナ（収容容器）内に収容し、コンテナごと立体的な自動倉庫内に管理する場合がある。
【０００３】
また、図書館の本に限らず、コンピュータ用の記録済のテープ、放送用のビデオ、オーディオテープあるいは病院用のカルテなどのように、保管しようとする物品が小さくて数が多い場合には、これらをコンテナ内に収容した後、立体的な自動倉庫内に管理される場合がある。そして、必要に応じて自動倉庫内にコンテナを介して収容された小物品は、ロボットなどにより遠隔操作で取り出すことが行われている（特許文献１）。
【０００４】
図４は、特許文献１に採用された収容容器の一例を示したもので、図５は図４の収容容器を保管棚から出し入れするのに使用する物品保管装置の部分的側面図である。
【０００５】
例えば、自動倉庫で用いられる収容容器１３は、上方が開口した略箱形状に形成され、その内部に小ボックス２６を介して、例えば幅狭のファイル、本などの小物品１２が収容されている。
【０００６】
そして、このように多数の小物品１２が小ボックス２６を介して収容された収容容器１３は、図５に示したような物品保管装置に構成された上下方向の格納棚１内に多段的に収容されている。
【０００７】
すなわち、この物品保管装置では、所定の幅で上下方向に形成された格納棚１とこれと隣接する格納棚１の間に間隔４が確保されており、この間隔４内に物品搬出入機７が下方の走行レール５上に載せられている。
【０００８】
そして、この物品搬出入機７が上下の走行レール６，５に案内されて水平方向に自走し、かつ主枠８に沿って上下移動することにより、所定のコンテナ１３が取り出されている。
【特許文献１】実公平２−１８００２号公報
【発明の開示】
【発明が解決しようとする課題】
【０００９】
ところで、このように自動倉庫に収容容器を用いる場合は、人の手を触れずに遠隔操作で容器を出し入れするため、収容容器内に、雑誌のように、いわゆる腰の弱いものを収容する場合や、あるいは幅狭の物品が満杯状態に収容されていない場合には、物品が内部で倒れてしまうことがある。
【００１０】
すると、外部から物品を確認することができないことは勿論のこと、場合によっては、倒れた物品が棚板から落下してしまう虞もあった。
【００１１】
本発明は、このような従来技術に伴う問題を解決するためになされたもので、収容容器の内部に、いわゆる腰の弱い物品が収容される場合や、幅狭の物品が少ししか収容されていない場合であっても、物品が倒れてしまうことを防止し、ひいては自動倉庫用の容器と
して用いた場合に、内部の物品の落下の虞もない収容容器を提供することを目的としている。
【課題を解決するための手段】
【００１２】
上記目的を達成するための本発明に係る収容容器は、
底板部と、該底板部から立設される一対の長側壁部と、前記底板部から立設される一対の短側壁部とにより、容器本体の上方面に物品の出入口が形成された収容容器であって、
前記容器本体の底板部には、内部の物品収容部を分割する仕切り部材の脚部を着脱自在に係止する案内溝が形成されていることを特徴としている。
【００１３】
係る構成による本発明によれば、腰の弱い物品を収容する場合や、幅狭の物品を少ししか収容しない場合であっても、それらの物品が倒れてしまうことを防止することができる。
【００１４】
ここで、前記案内溝は、該底板部の外周域を構成するとともに中央に開口が形成された第１底板部分と、この第1底板部分の開口全体を覆うように、この第1底板部分よりも一段低い位置に配置されるとともに、前記第１底板部分にリブ状の連結体により一体化された第２底板部分との間の連結部に沿って、水平方向に構成されていることが好ましい。
【００１５】
このような構成であれば、案内溝を金型成形により容易に構築することができる。
【００１６】
さらに、本発明の収容容器では、前記リブ状の連結体は、所定間隔置きに形成されていることが好ましい。
【００１７】
このような構成であれば、連結体の間の空隙を利用して通風性を確保することができる。
【００１８】
また、本発明では、前記第１底板部分の下面と前記第２底板部分の上面との間の離間距離は、前記仕切り部材の厚さに相当する長さであることが好ましい。
【００１９】
このような構成であれば、上下２つの底板部材の間に、仕切り部材を挟持させることができる。
【発明の効果】
【００２０】
本発明によれば、必要に応じて所定位置に仕切り部材を配置すれば、仮に腰の弱い物品を収容する場合や、満杯状態に収容されていない場合であっても、物品が倒れてしまうようなことはない。また、例えば，自動倉庫に用いた場合に、幅薄の物品であっても落下の虞のない確実な状態で保管することができる。
【発明を実施するための最良の形態】
【００２１】
以下、図面に示した実施例を参照しながら本発明について説明する。
【００２２】
図１は、本発明の一実施例に係る収容容器２０として自動倉庫用コンテナ２０を示したものである。
【００２３】
容器本体２０ａは、底板部８と、この底板部８から立設された一対の長側壁部１６，１８と、一対の短側壁部２２，２４とにより構成され、容器本体２０ａの上方面に物品の出し入れ口が形成されている。
【００２４】
一対の長側壁部１６，１８のうち、一方の長側壁部１６は背が高く、他方の長側壁部１
８は、これよりも背が低く設定されている。
【００２５】
このような容器本体２０ａ内には、例えば本、あるいはファイルなど薄手の物品が好ましく収容される。
【００２６】
一方、この実施例における底板部８は、隔壁体７０により予め２つに分割されている。
【００２７】
このような隔壁体７０を設けることにより、例えば、全体を２０００年用の容器、左側の半領域を２０００年前期、右側の半領域を２０００年後期などに分類することもできる。
【００２８】
また、それに応じて長側壁部１８に、平坦なラベル装着用平面Ｓ1，Ｓ2，Ｓ3などを形
成し、中央のラベル装着用平面Ｓ1に、例えば２０００年、左右のラベル装着用平面Ｓ2，Ｓ3に、２０００年前期、２０００年後期などといった必要な情報を記載したラベルある
いはバーコードなどを貼着すれば、このラベル、バーコードなどを調べることにより、その収容された物品の内容を判断することができる。
【００２９】
さらに、本実施例による底板部８は、左右の領域に矩形の凹所Ｄ，Ｄが２つ並ぶような構成になっている。なお、この凹所Ｄは、中央の隔壁体７０が設置されていない場合は、連続して形成されることになる。すなわち、底板部８は、図２の概略断面図に示したように、上位に配置される第１底板部分８２と、これよりも低い位置に配置される第２底板部分８４とから構成され、両底板部分８２，８４は、所定間隔置きに配置されたリブ状の連結体９０により連結されている。
【００３０】
そして、第１底板部分８２と第２底板部分８４との間には、水平方向に案内溝７２が形成されている。この案内溝７２は、第１底板部分８２と第２底板部分８４との間の高さ方向に構成されたもので、この案内溝７２、７２に、図３に示したような仕切り部材７４の水平方向に延びる両側の脚部５２が着脱自在に係止されている。
【００３１】
すなわち、本実施例で使用される仕切り部材７４は、図３に示したように、下方に開口したコ字状部分５０とこのコ字状部分５０を支持している一対の脚部５２、５２とから構成され、脚部５２は、略水平方向に延びる２本の棒状部分５４ａ，５４ｂを有することにより、自立できるように形成されている。
【００３２】
一方、上記した容器本体２０ａの第１底板部分８２と第２底板部分８４との間は、型成形時に所定間隔置きに立設されたリブ状の連結体９０により連結され、横方向に隣接する連結体９０、９０間は、開口となっている。したがって、このような一段低い位置の凹所Ｄ内に、ごみあるいは水などが侵入したとしても、それらを外部に排出することができる。また、通常は、この開口を介して通風性が確保されている。
【００３３】
本実施例では、図３に示したような仕切り部材７４が一対の案内溝７２、７２内に着脱自在に装着されることにより、容器本体２０ａ内が任意に分割される。
【００３４】
以下、本実施例の作用について説明する。
【００３５】
この実施例による仕切り部材７４を容器本体２０ａ内に装着するには、先ず、脚部５２を挟むように手で掴み、図２に示したように、棒状部分５４ａをそのまま案内溝７２内に差し込めば良い。そして、仕切り部材７４の脚部５２から力を解除すれば、一対の脚部５２、５２が自然状態に戻ろうとして外方に開くことにより、外側の棒状部分５４ａを連結体９０の側面に当接させることができる。このとき、図２に示したように、棒状部分５４
ａの厚さ（径）ｍと、第１底板部材８２と第２底板部材８４との離間距離ｎは、同じ長さである。すなわち、案内溝７２の高さｎは、棒状部分５４ａの厚さ（径）ｍと略同じ長さである。したがって、仕切り部材７４を安定した姿勢で立設することができる。
【００３６】
また、両側の棒状部分５４ａ，５４ａが、連結体９０，９０の内側に配置されるため、容器本体２０ａを裏面側から見れば、容器本体２０ａの外方に棒状部分５４ａなどが出っ張ることはないため、仕切り部材７４が邪魔になることはない。
【００３７】
さらに、第１底板部材８２の上面よりも棒状部分５４ａ、５４ｂの方が下方に配置されるため、容器本体２０ａの短側壁部２２，２４と平行な姿勢で幅薄の本、あるいはファイルなどを収容した場合に、これらの物品がぐらつくようなことはない。
【００３８】
このような収容容器２０は、自動倉庫に使用されるコンテナとして有効に使用することができる。すなわち、自動倉庫では、図５に示したような棚板上で、水水平方向にスライドさせることが何度も行われるため、スライドする部位に少しの出っ張りがあったとしても、スムースなスライドを妨げてしまう虞がある。本実施例の収容容器２０は、容器本体２０ａの裏面側に仕切り部材７４の一部が露出したり、出っ張ったりすることがないので、スライドを邪魔するようなことはない。
【００３９】
以上、本発明の一実施例について説明したが、本発明は上記実施例に何ら限定されない。
【００４０】
例えば、仕切り部材７４の底板部８に対する取り付けは、上記実施例に何ら限定されず、どのような態様で取り付けすることもできる。
【００４１】
特に、自動倉庫用として使用する場合と異なって設置場所などでスライドさせる必要がない場合は、脚部５２の棒状部分５４ａを連結体９０の外側に配置することもできる。
【００４２】
このような場合には、図２に示したように、第１底板部８２に設けたリブ８５の側面に、この棒状部分５４ａを水平方向に沿わせることにより、仕切り部材７４を安定した姿勢で固定することができる。
【図面の簡単な説明】
【００４３】
【図１】図１は本発明の一実施例による収容容器の斜視図である。
【図２】図２は図１に示した収容容器に装着された仕切り部材の取り付け構造を示す断面図である。
【図３】図３は図１に示した仕切り部材の斜視図である。
【図４】図４は実公平２−１８００２号公報に開示された自動倉庫で使用されている従来の収容容器の斜視図である。
【図５】図５は同じく実公平２−１８００２号公報に開示された自動倉庫の一部を示す部分正面図である。
【符号の説明】
【００４４】
８  底板部
１２      小物品
１６，１８      長側壁部
２０      収容容器
２０ａ    容器本体
２２，２４      短側壁部
５０      コ字状部分
５２      脚部
５４ａ，５４ｂ  棒状部分
７０      隔壁体
７２      案内溝
７４      仕切り部材
８０      コ字状部分
８２      第１底板部分
８４      第２底板部分
９０      連結体
ｎ        離間距離
Ｓ1，Ｓ2，Ｓ3   ラベル装着用平面
【図１】
2005138869.tif 000003
【図２】
2005138869.tif 000004
【図３】
2005138869.tif 000005
【図４】
2005138869.tif 000006
【図５】
2005138869.tif 000007